(57)【要約】【課題】  ペダルクランク収納状態における折り畳み厚さが薄く、また折り畳んで収納したり、逆にペダル５を引き出して走行可能な状態に戻す操作が簡単で、かつ誤作動防止効果が大きいペダルクランクを提供すること。【解決手段】  一端にクランク軸固定部および他端にナット部もしくはボルト部を有し、少なくともナット部もしくはボルト頭部の外周形状が角型であるペダルクランク軸側クランク部品１と、一端にペダル固定部および他端にペダルクランク軸側クランク部品１に結合されるナット部もしくはボルト軸部を有し、少なくともナット部もしくはボルト頭部の外周形状が角型であるペダル側クランク部品２と、ペダルクランク軸側クランク部品１とペダル側クランク部品２の結合部外周を少なくとも覆ってペダル側クランク部品２の回転を阻止する角型チューブ３と、角型チューブ３をペダル側クランク部品２側に押し付けるスプリング４とから構成されるペダルクランク。【選択図】  図１
2006117030.tif 000002
【特許請求の範囲】
【請求項１】
一端にクランク軸固定部および他端にナット部もしくはボルト部を有し、少なくともナット部もしくはボルト頭部の外周形状が角型であるペダルクランク軸側クランク部品１と、一端にペダル固定部および他端にペダルクランク軸側クランク部品１に結合されるナット部もしくはボルト軸部を有し、少なくともナット部もしくはボルト頭部の外周形状が角型であるペダル側クランク部品２と、ペダルクランク軸側クランク部品１とペダル側クランク部品２の結合部外周を少なくとも覆ってペダル側クランク部品２の回転を阻止する角型チューブ３と、角型チューブ３をペダル側クランク部品２側に押し付けるスプリング４とから構成されるペダルクランク。
【発明の詳細な説明】
【技術分野】
【０００１】
本発明は、コンパクトに折り畳み可能なペダルクランクに関する。
【背景技術】
【０００２】
従来、自転車において、駐輪場などの有効活用を図る観点から、ハンドルやペダルを折り畳んでコンパクト化する試みがなされてきた。
例えば、ペダル踏板面をクランクギヤ側に９０度回転させて折り畳む方式が開示されている（特許文献１、２参照）。
また、クランクを回転軸中心としてペダルと共にペダル側クランク部品をクランクギヤ側に９０度回転させて折り畳む方式が開示されている（特許文献３参照）。
【０００３】
しかしながら、特許文献１、２に開示された方法では、ペダルがクランクの外側に収納されるので、ペダルの厚み分だけコンパクト化が不十分であるという問題があった。
また、特許文献３に開示された方法では、ロックピンによる保持に加えて、ゴムバンドの保護をしないと誤作動するので、安全面を確保する構成が複雑な上に、構成部品の点数が多すぎるという問題があった。
【０００４】
【特許文献１】特開２００１−２０６２７２号公報（第２〜５頁）
【特許文献２】特開２００４−１８２２３２号公報（第３〜５頁）
【特許文献３】特開２００１−２８７６８６号公報（第２〜３頁）
【発明の開示】
【発明が解決しようとする課題】
【０００５】
本発明は上記実情に鑑みてなされたもので、ペダルクランク収納状態における自転車横方向の折り畳み厚さが薄く、また折り畳んで収納したり、逆にペダルを引き出して走行可能な状態に戻す操作が簡単で、かつ誤作動防止効果が大きいペダルクランクを提供することを目的とする。
【課題を解決するための手段】
【０００６】
本発明は、一端にクランク軸固定部および他端にナット部もしくはボルト部を有し、少なくともナット部もしくはボルト頭部の外周形状が角型であるペダルクランク軸側クランク部品１と、一端にペダル固定部および他端にペダルクランク軸側クランク部品１に結合されるナット部もしくはボルト軸部を有し、少なくともナット部もしくはボルト頭部の外周形状が角型であるペダル側クランク部品２と、ペダルクランク軸側クランク部品１とペダル側クランク部品２の結合部外周を少なくとも覆ってペダル側クランク部品２の回転を阻止する角型チューブ３と、角型チューブ３をペダル側クランク部品２側に押し付けるスプリング４とから構成されるペダルクランクである。
【発明の効果】
【０００７】
本発明のペダルクランクによれば、ペダルクランク収納状態における自転車横方向の折り畳み厚さが薄いため、自転車置き場により多い台数を収納可能となり、また折り畳み自転車の形態がコンパクトなのでその収納ケースを小さくできる。
また折り畳んで収納したり、逆にペダルを引き出して走行可能な状態に戻す操作が簡単で、かつ誤作動防止効果が大きいという特徴を有している。
【発明を実施するための最良の形態】
【０００８】
以下詳細に本発明を説明する。
本発明は、一端にクランク軸固定部および他端にナット部もしくはボルト部を有し、少なくともナット部もしくはボルト頭部の外周形状が角型であるペダルクランク軸側クランク部品１と、一端にペダル固定部および他端にペダルクランク軸側クランク部品１に結合されるナット部もしくはボルト軸部を有し、少なくともナット部もしくはボルト頭部の外周形状が角型であるペダル側クランク部品２と、ペダルクランク軸側クランク部品１とペダル側クランク部品２の結合部外周を少なくとも覆ってペダル側クランク部品２の回転を阻止する角型チューブ３と、角型チューブ３をペダル側クランク部品２側に押し付けるスプリング４とから構成されるペダルクランクである。
【０００９】
前記ペダルクランク軸側クランク部品１は、一端にクランク軸固定部および他端にナット部もしくはボルト部を有し、少なくともナット部もしくはボルト頭部の外周形状が角型の金属部品である。
【００１０】
前記ペダル側クランク部品２は、一端にペダル固定部および他端にペダルクランク軸側クランク部品１に結合されるナット部もしくはボルト軸部を有し、少なくともナット部もしくはボルト頭部の外周形状が角型の金属部品である。
【００１１】
前記角型チューブ３は、ペダルクランク軸側クランク部品１とペダル側クランク部品２の結合部外周を少なくとも覆ってペダル側クランク部品２の回転を阻止する機能を持つと同時に、折り畳む際に容易に押上げられる構造の金属部品である。
回転を阻止する機能を持たせるため、角型チューブ３の内周形状は、ナット部の角型外周形状およびボルト頭部の角型外周形状の両方に即した形状、例えば、四角柱などの多角柱を包み込める形状となっている。一方、角型チューブ３の外周形状は内側形状と同一であっても良いが、異なる形状であっても良い。
また角型チューブ３を容易に押上げられるようにするため、角型チューブ３の内側とナット部もしくはボルト頭部の外周との間に適当な隙間を持たせる形状となっている。
角型チューブ３の好ましい形状は四角柱の空洞を有し、適度な肉厚と強度を持つ金属管である。
【００１２】
前記スプリング４は、走行時に角型チューブ３をペダル側クランク部品２側に押し付ける機能を持つと同時に、折り畳む際に角型チューブ３と共に容易に押上げられる構造である。
そのため、スプリング４は、ナット部もしくはボルト頭部の角型外周形状の両方に密着させて巻き上げた形状であり、スプリング４の内周形状は、ナット部の角型外周形状およびボルト頭部の角型外周形状の両方に即した形状、例えば、四角柱などの多角柱を包み込める形状となっている。
また、その反発力が約０．５〜５ｋｇ程度のバネが好ましい。０．５ｋｇ未満では誤作動の防止が不十分であり、一方、５ｋｇを超える場合にははスプリング４の反発力に逆らって角型チューブ３を上方に押し上げることが困難となり易い。
スプリング４の好ましい形状は、四角柱に即して巻き上げた金属線のバネである。
【００１３】
本発明に使用されるペダルクランク軸側クランク部品１、ペダル側クランク部品２、角型チューブ３およびスプリング４の材質は、クランク部品として通常用いられる金属の材質の全てが使用可能であり、例えば鋳鉄、Ｓ４５Ｃ、ＳＳ材、ステンレスなどの金属が挙げられる。
【００１４】
またナット部の外側の形状である角型外周形状やボルト頭部の角型外周形状は、四角柱、六角柱や八角柱などの多角柱が一般的であるが、楕円柱であっても同一の機能を持つ限り使用可能である。そしてナット部の角型外周形状、ボルト頭部の角型外周形状、角型チューブ３の内周形状、およびスプリング４の内周形状はこれらの形状の何れかを選択し、統一形状とする方が好ましい。
【００１５】
以下に本発明の例を具体的に図面で説明する。
図１は本発明のペダルクランクの使用状態の一例について概略的に示した部分断面図である。
ペダルクランク軸側クランク部品１のクランク軸固定部にボトムブラケットのハンガー芯を連結させた後、取付けキャップ７でふたされている。そして他端のナット部側に外観四角柱形状の角型チューブ３と四角柱に巻き上げた形状のスプリング４をはめ込んだ後、角型チューブ３とスプリング４を持ち上げた状態でペダルクランク軸側クランク部品１のナット部にペダル側クランク部品２のボルト軸部をねじ込み連結する。角型チューブ３およびスプリング４が下がると、角型チューブ３はペダルクランク軸側クランク部品１とペダル側クランク部品２の結合部外周を覆ってペダル側クランク部品２の回転を阻止する状態となる。
そしてペダル側クランク部品２のペダル固定部にペダル５を連結・固定する。
スプリング４は、角型チューブをペダル側クランク部品２側に押し付けることにより、振動や不測の力により角型チューブ３が走行中に持ちあがってペダル側クランク部品２がクランクギヤ側に回転するという危険性を回避している。
【００１６】
図２は本発明のペダルクランクを折り畳んだ状態の一例について概略的に示した部分断面図である。
折り畳む場合、スプリング４の反発力に逆らって角型チューブ３を上方に押し上げてボルトとナットの結合部分を露出させた後、ペダル側クランク部品２をペダルクランクの軸を中心として９０度回転させて折り畳むことができる。その後、角型チューブ３を下方に戻すことによりペダル側クランク部品２を折り畳んだ状態で固定できる。
以上のとおり、折り畳んだ状態における自転車横方向の厚さが薄い上に、折り畳んで収納したり、逆にペダル５を引き出して走行可能な状態に戻す操作が簡単という利点がある。
なお、ペダルクランク軸側クランク部品１とペダル側クランク部品２の連結部について、ペダルクランク軸側クランク部品１の一端にナット部を持たせ、ペダル側クランク部品２の一端にボルト部を持つ構造で説明したが、ペダルクランク軸側クランク部品１の一端にボルト部を持たせ、ペダル側クランク部品２の一端にナット部を持つ構造であっても、同様な連結効果が得られるので、そのような構成も本発明の形態の一つである。
【図面の簡単な説明】
【００１７】
【図１】本発明のペダルクランクの使用状態の一例について概略的に示した部分断面図である。
【図２】本発明のペダルクランクを折り畳んだ状態の一例について概略的に示した部分断面図である。
【符号の説明】
【００１８】
１：ペダルクランク軸側クランク部品、２：ペダル側クランク部品、３：角型チューブ、４：スプリング、５：ペダル、６：取付けキャップ。
【図１】
2006117030.tif 000003
【図２】
2006117030.tif 000004